(57)【要約】      （修正有）【課題】接続端子数を減少させて製造コストの低減を図ることができるコネクタ用部品及び携帯機器充電用コネクタを提供する。【解決手段】コネクタ用部品は、上面視において第一辺Ｓ１と、第一辺Ｓ１に対向する第二辺Ｓ２と、第二辺Ｓ２に隣接する第三辺Ｓ３と、第三辺Ｓ３に対向する第四辺Ｓ４の略四角形を有し、絶縁材料から成るベース部材２と、ベース部材２の第一辺Ｓ１をなす側面に複数並列に立設する電極ピン３と、ベース部材２の第二辺Ｓ２の近傍の上面ＵＳであり第三辺Ｓ３の側に偏って設置される複数の上部電極端子４と、ベース部材２の第二辺Ｓ２の近傍の下面ＤＳであり第四辺Ｓ４の側に偏って設置される複数の下部電極端子５と、上部電極端子４と下部電極端子５が設置される領域を除き、ベース部材２の第二辺Ｓ２の側の外表面を覆う金属薄板６と、金属薄板６の第一辺Ｓ１の側の端部外周に巻きつけられるバンド７と、を備える。【選択図】図１
0003185242.tif 000002
【実用新案登録請求の範囲】
【請求項１】
上面視において第一辺と、前記第一辺に対向する第二辺と、前記第二辺に隣接する第三辺と、前記第三辺に対向する第四辺の略四角形を有し、絶縁材料から成るベース部材と、
前記ベース部材の前記第一辺をなす側面に複数並列に立設する電極ピンと、
前記ベース部材の前記第二辺の近傍の上面であり前記第三辺の側に偏って設置される複数の上部電極端子と、
前記ベース部材の前記第二辺の近傍の下面であり前記第四辺の側に偏って設置される複数の下部電極端子と、
前記上部電極端子と前記下部電極端子が設置される領域を除き、前記ベース部材の前記第二辺の側の外表面を覆う金属薄板と、
前記金属薄板の前記第一辺の側の端部外周に巻きつけられるバンドと、を備えるコネクタ用部品。
【請求項２】
前記第三辺と前記第四辺の間の距離を１とした場合に、
複数の前記上部電極端子は前記上面の前記第三辺から０．６５の距離の間に設置され、０．６５の距離よりも前記第四辺の側には電極端子が設置されず、
複数の前記下部電極端子は前記下面の前記第四辺から０．６５の距離の間に設置され、０．６５の距離よりも前記第三辺の側には電極端子が設置されない請求項１に記載のコネクタ用部品。
【請求項３】
前記上部電極端子と前記下部電極端子はそれぞれ５個形成される請求項１又は２に記載のコネクタ用部品。
【請求項４】
前記ベース部材の前記第三辺及び第四辺をなす側面を覆う前記金属薄板の、前記第一辺の側に凹部が形成される請求項１〜３のいずれか一項に記載のコネクタ用部品。
【請求項５】
基体の外形が略直方体の形状を有し、充電用電力源と携帯機器との間に介在して充電電力を伝達する携帯機器充電用コネクタであって、
前記基体の第一の端面には請求項１〜４のいずれか一項に記載のコネクタ用部品が設置され、
前記基体の第二の端面には充電用電力を入力する入力部が設置され、
前記コネクタ用部品は、前記第二辺の側が前記第一の端面から突出し、充電用電力を出力する第一接続部を構成する携帯機器充電用コネクタ。
【請求項６】
前記入力部はプラグ受部からなる請求項５に記載の携帯機器充電用コネクタ。
【請求項７】
前記入力部はコードからなる請求項５に記載の携帯機器充電用コネクタ。
【請求項８】
前記基体の第三の端面には、前記第一接続部と異なる形状を有し、充電用電力を出力する第二接続部が設置される請求項５〜７のいずれか一項に記載の携帯機器充電用コネクタ。
【請求項９】
前記基体の第四の端面には、前記第一及び第二接続部と異なる形状を有し、充電用電力を出力する第三接続部が設置される請求項８に記載の携帯機器充電用コネクタ。
【考案の詳細な説明】
【技術分野】
【０００１】
本考案は、携帯機器を充電するためのコネクタ用部品及びこれを用いた携帯機器充電用コネクタに関する。
【背景技術】
【０００２】
携帯電話機等の携帯機器が普及している。携帯機器は二次電池を搭載し、持ち運びが自由で場所を選ばないで利用することができる。二次電池の電力が消費されたときは商業用電源や非常用充電器から電力を充電して使用する。
【０００３】
近年、携帯機器は高機能化が進み、消費電力が増加している。しかし、携帯機器の持ち運びの利便性を確保するために、その重量は極力軽く、その容積はできるだけ小さく形成される。そのため、二次電池を収納する容積が限定され電池容量も小さいことから、頻繁に充電する必要がある。
【０００４】
例えば、携帯機器への充電は、携帯機器に設けられる充電用接続部に携帯機器充電用コネクタを差し込んで充電する。充電用接続部は携帯機器の種類や携帯機器の製造メーカに応じて異なる。極端に言えば、携帯機器と同数の携帯機器用充電器を準備しなければならず、種類や製造メーカの異なる多数の携帯機器を使用するユーザーにとって大きな負担となっている。そこで、例えば特許文献１に記載されるように、異なる携帯機器に接続可能な接続部を複数有する携帯機器充電用コネクタが利用されている。この携帯機器充電用コネクタは、一の接続部が充電用電源に接続され、他の複数の接続部が異なる携帯電話等の携帯機器に接続する。これにより、一台の携帯機器用充電器を複数種類の携帯機器に使用することが可能となる。
【先行技術文献】
【特許文献】
【０００５】
【特許文献１】実用新案登録第３０９５５７４号公報
【考案の概要】
【考案が解決しようとする課題】
【０００６】
携帯機器に設けられる接続部は、携帯機器の二次電池を充電する目的の他に、データ通信等を行う目的の端子を備える。従来の携帯機器充電用コネクタは、特定の携帯機器に設置される接続部の端子数と同じ数の端子数が形成されている。しかし、特定の携帯機器に充電するために必要な端子数はその携帯機器の接続部の端子数と一致させる必要は無く、当該携帯機器の二次電池を充電することができればよい。本考案は、上記の観点から、充電される側の携帯機器の接続端子数よりも端子数を減少させたコネクタ用部品及びこれを用いた携帯機器充電用コネクタを提供する。
【課題を解決するための手段】
【０００７】
本考案のコネクタ用部品は、上面視において第一辺と、前記第一辺に対向する第二辺と、前記第二辺に隣接する第三辺と、前記第三辺に対向する第四辺の略四角形を有し、絶縁材料から成るベース部材と、前記ベース部材の前記第一辺をなす側面に複数並列に立設する電極ピンと、前記ベース部材の前記第二辺の近傍の上面であり前記第三辺の側に偏って設置される複数の上部電極端子と、前記ベース部材の前記第二辺の近傍の下面であり前記第四辺の側に偏って設置される複数の下部電極端子と、前記上部電極端子と前記下部電極端子が設置される領域を除き、前記ベース部材の前記第二辺の側の外表面を覆う金属薄板と、前記金属薄板の前記第一辺の側の端部外周に巻きつけられるバンドと、を備えることとした。
【０００８】
また、前記第三辺と前記第四辺の間の距離を１とした場合に、複数の前記上部電極端子は前記上面の前記第三辺から０．６５の距離の間に設置され、０．６５の距離よりも前記第四辺の側には電極端子が設置されず、複数の前記下部電極端子は前記下面の前記第四辺から０．６５の距離の間に設置され、０．６５の距離よりも前記第三辺の側には電極端子が設置されないことした。
【０００９】
また、前記上部電極端子と前記下部電極端子はそれぞれ５個形成されることとした。
【００１０】
また、前記ベース部材の前記第三辺及び第四辺をなす側面を覆う前記金属薄板の、前記第一辺の側に凹部が形成されることとした。
【００１１】
本考案の携帯機器充電用コネクタは、基体の外形が略直方体の形状を有し、充電用電力源と携帯機器との間に介在して充電電力を伝達する携帯機器充電用コネクタであって、前記基体の第一の端面には上記いずれか一に記載のコネクタ用部品が設置され、前記基体の第二の端面には充電用電力を入力する入力部が設置され、前記コネクタ用部品は、前記第二辺の側が前記第一の端面から突出し、充電用電力を出力する第一接続部を構成することとした。
【００１２】
また、前記入力部はプラグ受部からなることとした。
【００１３】
また、前記入力部はコードからなることとした。
【００１４】
また、前記基体の第三の端面には、前記第一接続部と異なる形状を有し、充電用電力を出力する第二接続部が設置されることとした。
【００１５】
また、前記基体の第四の端面には、前記第一及び第二接続部と異なる形状を有し、充電用電力を出力する第三接続部が設置されることとした。
【考案の効果】
【００１６】
本考案のコネクタ用部品は、上面視において第一辺と、第一辺に対向する第二辺と、第二辺に隣接する第三辺と、第三辺に対向する第四辺の略四角形を有し、絶縁材料から成るベース部材と、ベース部材の第一辺をなす側面に複数並列に立設する電極ピンと、ベース部材の第二辺の近傍の上面であり第三辺の側に偏って設置される複数の上部電極端子と、ベース部材の第二辺の近傍の下面であり第四辺の側に偏って設置される複数の下部電極端子と、上部電極端子と下部電極端子が設置される領域を除き、ベース部材の第二辺の側の外表面を覆う金属薄板と、金属薄板の第一辺の側の端部外周に巻きつけられるバンドと、を備える。これにより、上記ベース部材が差し込まれる携帯機器側の接続端子数よりも上部電極端子又は下部電極端子の端子数が減少し、製造コストの低減を図ることができる。
【図面の簡単な説明】
【００１７】
【図１】本考案の第一実施形態に係るコネクタ用部品の説明図である。
【図２】本考案の第二実施形態に係るコネクタ用部品の説明図である。
【図３】本考案の第三実施形態に係る携帯機器充電用コネクタの上面模式図である。
【図４】本考案の携帯機器充電用コネクタを介して充電用電力源から携帯機器に充電する状態を表す模式図である。
【図５】本考案の第四実施形態に係る携帯機器充電用コネクタの上面模式図である。
【図６】本考案の第四実施形態に係る携帯機器充電用コネクタをより詳しく示す説明図である。
【図７】本考案の第五実施形態に係る携帯機器充電用コネクタの上面模式図である。
【図８】本考案の第五実施形態に係る携帯機器充電用コネクタをより詳しく示す説明図である。
【図９】本考案の第六実施形態に係る携帯機器充電用コネクタの上面模式図である。
【考案を実施するための形態】
【００１８】
（第一実施形態）
図１は、本考案の第一実施形態に係るコネクタ用部品１の説明図である。図１（ａ）はコネクタ用部品１の上面模式図であり、図１（ｂ）はコネクタ用部品１の側面模式図であり、図１（ｃ）はコネクタ用部品１の下面模式図である。
【００１９】
図１に示すように、本考案に係るコネクタ用部品１は、絶縁材料からなるベース部材２と、ベース部材２の側面に立設する電極ピン３（３ａ〜３ｅ）、３’（３’ａ〜３’ｅ）と、ベース部材２の上面に等間隔で設置される上部電極端子４（４ａ〜４ｅ）と、ベース部材２の下面に等間隔で設置される下部電極端子５（５ａ〜５ｅ）と、ベース部材２の一部の表面を覆う金属薄板６と、金属薄板６の端部外周に巻きつけられるバンド７を備える。
【００２０】
具体的に説明する。図１（ａ）及び図１（ｂ）に示すように、ベース部材２は、上面ＵＳの方向から見る上面視において第一辺Ｓ１と、第一辺Ｓ１に対向する第二辺Ｓ２と、第二辺Ｓ２に隣接する第三辺Ｓ３と、第三辺Ｓ３に対向する第四辺Ｓ４の略四角形を有し、薄い板状体からなる。電極ピン３、３’は、ベース部材２の第一辺Ｓ１をなす側面の法線方向に複数並列であり、等間隔に立設する。本実施形態ではベース部材２の側面に一列に８本で２列立設する。上部電極端子４は、ベース部材２の第二辺Ｓ２の近傍の上面ＵＳであり、第三辺Ｓ３の側に偏って複数設置される。下部電極端子５は、ベース部材２の第二辺Ｓ２の近傍の下面ＤＳであり第四辺Ｓ４の側に偏って複数設置される。金属薄板６は、上部電極端子４と下部電極端子５が設置される領域を除き、ベース部材２の第二辺Ｓ２の側の外表面を覆うようにベース部材２に設置される。バンド７は、金属薄板６の第一辺Ｓ１の側の端部外周に巻きつけられる。更に、ベース部材２の第三辺Ｓ３及び第四辺Ｓ４を成す側面を覆う金属薄板６の、第二辺Ｓ２の側に係合用の凹部８が形成される。
【００２１】
本考案のコネクタ用部品１は、後に説明する携帯機器充電用コネクタに設置して、携帯機器の接続部に差し込むプラグとして使用される。携帯機器の接続部の端子は配列ピッチが固定されている。コネクタ用部品１の上部電極端子４及び下部電極端子５は携帯機器の接続部の端子の配列ピッチと同じ配列ピッチに形成する必要がある。上部電極端子４及び下部電極端子５が第四辺Ｓ４及び第三辺Ｓ３の側に端子が設置されず、上部電極端子４及び下部電極端子５が第三辺Ｓ３及び第四辺Ｓ４の側に偏っている。即ち、従来から使用されるコネクタ用部品と比較して、本考案に係るコネクタ用部品１は上部電極端子４及び下部電極端子５の端子数が減少するので、製造コストを低減させることができる。
【００２２】
なお、上部電極端子４と下部電極端子５をベース部材２の上面ＵＳ及び下面ＤＳの反転に対して同じ位置、同じ電気的接続とすれば、コネクタ用部品１を上面ＵＳと下面ＤＳを意識することなく携帯機器充電用コネクタに設置することができ、組み立てが容易となる。
【００２３】
より具体的に説明する。ベース部材２のバンド７よりも第二辺Ｓ２の側の上面ＵＳ、下面ＤＳ及び側面には、上部電極端子４及び下部電極端子５が形成される領域を除いて金属薄板６が設置される。ベース部材２の外表面に金属薄板６を設置することにより、携帯機器の接続部への着脱をスムーズにし外表面の摩耗を低減させることができる。ベース部材２のバンド７よりも第一辺Ｓ１の側の上面ＵＳ及び下面ＤＳには金属薄板６が設置されていない。電極ピン３、３’は、第一辺Ｓ１をなすベース部材２の側面に垂直であり、当該側面の長手方向に沿って２列に１６本立設する。電極ピン３を２列とすることにより、回路基板に接続する際に、回路基板を列間に挟んで接続することができるので、回路基板１６（図３を参照）の両面に形成される電極パターンに容易に接続することができるとともに、接続強度を向上させることができる。各上部電極端子４ａ〜４ａはそれぞれ電極ピン３ａ〜３ｅと電気的に接続し、各下部電極端子５ａ〜５ｅはそれぞれ電極ピン３’ａ〜３’ｅと電気的に接続する。なお、電極ピン３は１６本を２列に設置することは本考案の必須要件ではなく、例えば合計１０本を２列等に設置してもよい。
【００２４】
更に、ベース部材２の第三辺Ｓ３と第四辺Ｓ４の間の距離（幅）をＷａとした場合に、複数の上部電極端子４ａ〜４ｅは、上面ＵＳの第三辺Ｓ３からＷｂの距離（幅）の間に設置され、Ｗｂの距離（幅）よりも第四辺Ｓ４の側には電極端子が設置されていない。ここで、Ｗｂ／Ｗａ＝０．６５である。同様に、複数の下部電極端子５ａ〜５ｅは、下面ＤＳの第四辺Ｓ４からＷｃの距離（幅）の間に設置され、Ｗｃの距離（幅）よりも第三辺Ｓ３の側には電極端子が設置されない。ここで、Ｗｃ／Ｗａ＝０．６５である。また、上部電極端子４ａと下部電極端子５ａ、上部電極端子４ｂと下部電極端子５ｂ、上部電極端子４ｃと下部電極端子５ｃ、上部電極端子４ｄと下部電極端子５ｄ、及び上部電極端子４ｅと下部電極端子５ｅはそれぞれ同じ電気的機能を有する。
【００２５】
なお、図１では上部電極端子４が５個、下部電極端子５が５個並列に形成されているが、本考案は電極端子の数がそれぞれ５個に限定されず、更に多数の或いは少数の上部電極端子４又は下部電極端子５としてもよい。端子数は、携帯機器の接続部に対応させて設定することができる。また、上部電極端子４は第四辺Ｓ４の側に偏って設置されてもよいし、この場合、下部電極端子５は第三辺Ｓ３の側に偏って設置されることになる。
【００２６】
（第二実施形態）
図２は、本考案の第二実施形態に係るコネクタ用部品１の説明図である。図２（ａ）がコネクタ用部品１の模式的な斜視図であり、図２（ｂ）が第二辺Ｓ２の側から見る側面模式図であり、図２（ｃ）は上面模式図であり、図２（ｄ）は第一辺Ｓ１の側から見る側面模式図であり、図２（ｅ）は第三辺Ｓ３又は第四辺Ｓ４の側から見る側面模式図である。第一実施形態と異なる点は、ベース部材２の上面ＵＳ及び下面ＤＳに設置される金属薄板６の形状と、ベース部材２の第一辺Ｓ１に２本の突起９が立設する点であり、その他の構成は概ね第一実施形態と同様である。以下、第一実施形態と異なる部分について説明する。同一の部分又は同一の機能を有する部分には同一の符号を付している。
【００２７】
図２に示すように、コネクタ用部品１は主な角部が面取りされている。角部を面取りすることにより、携帯機器の接続部への着脱操作が滑らかとなる。ベース部材２の上面ＵＳ及び下面ＤＳに設置される金属薄板６は、上部電極端子４又は下部電極端子５が設置される領域を露出させる窓部Ｋを有する。また、ベース部材２の第一辺Ｓ１をなす側面の長手方向の端部には２つの突起９が設置される。２つの突起９は側面からの高さが電極ピン３と同じであり、２つの突起９を設けることにより、コネクタ用部品１を回路基板等へ一層強固にかつ確実に接続することができる。
【００２８】
ベース部材２は、長手方向の幅ｄ１が１０ｍｍ〜１１ｍｍであり、長手方向に直交する方向の幅ｄ２が最大６．７ｍｍであり、厚さｄ３が最大１．６ｍｍである。なお、図２に示すコネクタ用部品１は、ベース部材２のバンド７よりも第一辺Ｓ１側の長さｄ５が１．５ｍｍであり、ベース部材２のバンド７よりも第二辺Ｓ２側の長さｄ４が７．４ｍｍであり、バンド７の幅ｄ６が１．５ｍｍであり、バンド７の一方の外形ｄ７が７．８ｍｍであり、バンド７の他方の外形ｄ８が２．６ｍｍである。
【００２９】
（第三実施形態）
図３は、本考案の第三実施形態に係る携帯機器充電用コネクタ１０の上面模式図である。同一の部分又は同一の機能を有する部分には同一の符号を付している。携帯機器充電用コネクタ１０は、基体１１の外形が略直方体の形状を有し、図示しない充電用電力源と図示しない携帯機器との間に介在して充電電力を伝達する。携帯機器充電用コネクタ１０は、基体１１の第一の端面Ｔ１に本考案に係るコネクタ用部品１が設置され、第一の端面Ｔ１に対向する第二の端面Ｔ２に充電用電力を入力する入力部としてのプラグ受部１４が設置される。コネクタ用部品１は、第二辺Ｓ２の側が第一の端面Ｔ１から突出し、充電用電力を出力する第一接続部１５ａを構成する。プラグ受部１４には、例えばマイクロＵＳＢプラグが装着される。
【００３０】
具体的に説明する。基体１１は、本体部よりも断面が縮小する第一突出部Ｂ１を有し、第一突出部Ｂ１の端部が第一の端面Ｔ１をなす。この第一の端面Ｔ１にはコネクタ用部品１がバンド７よりも第二辺Ｓ２側を露出させて設置され、第一接続部１５ａを構成する。上部電極端子４は、ベース部材２の上面ＵＳの第三辺Ｓ３の側に偏って５個設置される。同様に、図示しない下部電極端子５は、ベース部材２の下面ＤＳの第四辺Ｓ４の側に偏って５個設置される。バンド７は第一突出部Ｂ１の内部に設置され、第一突出部Ｂ１の内部に形成される図示しない凹部と係合して第一の端面Ｔ１の法線方向の移動が規制される。コネクタ用部品１の複数の電極ピン３は回路基板１６に固定され、回路基板１６にはプラグ受部１４が固定されて基体１１の内部に収納される。第二の端面Ｔ２にはプラグ受部１４の受け口が開口する。回路基板１６には配線電極が形成され、プラグ受部１４に入力する充電電力を複数の電極ピン３を介して上部電極端子４及び下部電極端子５の各端子に伝達する。また、回路基板１６には必要に応じて信号処理部を設け、携帯機器から出力される信号を処理して携帯機器を充電可能な状態に設定できるように構成することができる。
【００３１】
図４は、携帯機器充電用コネクタ１０を介して充電用電力源１２から携帯機器１３に充電する状態を表す模式図である。携帯機器充電用コネクタ１０の第一接続部１５ａを携帯機器１３の接続部１７に装着する。第一接続部１５ａの図示しない凹部８が接続部１７の図示しない凸部と係合して携帯機器１３と携帯機器充電用コネクタ１０が連結する。携帯機器充電用コネクタ１０のプラグ受部１４に充電用電力源１２にコード２０を介して接続するプラグ１８を装着して充電電力を入力する。第一接続部１５ａは、例えば、ｉＰｈｏｎｅ（登録商標）に接続することができる。
【００３２】
（第四実施形態）
図５は、本考案の第四実施形態に係る携帯機器充電用コネクタ１０の上面模式図である。第三実施形態と異なる点は、基体１１の第三の端面Ｔ３に第二接続部１５ｂを備える点であり、その他の構成は第三実施形態とほぼ同様である。従って、以下、第三実施形態と異なる点について説明する。同一の部分又は同一の機能を有する部分には同一の符号を付している。
【００３３】
図５に示すように、基体１１は、本体部よりも断面が縮小する第一突出部Ｂ１及び隣接して第三突出部Ｂ３を有し、第一突出部Ｂ１の端部が第一の端面Ｔ１をなし、第三突出部Ｂ３の端部が第三の端面Ｔ３をなす。第一の端面Ｔ１にはコネクタ用部品１が設置され、第二の端面Ｔ２には充電電力を入力するプラグ受部１４が開口する。コネクタ用部品１は、第二辺Ｓ２の側が第一の端面Ｔ１から突出し、上部電極端子４はベース部材２の第三辺Ｓ３の側に偏って５個設置され、下部電極端子５はベース部材２の第四辺Ｓ４の側に偏って５個設置される（図６参照）ことは第三実施形態と同様である。基体１１の第三の端面Ｔ３には、第一接続部１５ａとは形状が異なる第二接続部１５ｂが設置される。第二接続部１５ｂは第三の端面Ｔ３に垂直に設置され、先端部が開口して開口内部に３２本の電極が設置される。本実施形態における第二接続部１５ｂは、第一接続部１５ａに接続可能なｉＰｈｏｎｅとは機種の異なるｉＰｈｏｎｅを接続することができる。従って、異なる機種ごとに充電用電力源を購入する必要が無く、消費者の負担が軽減されるとともに、環境負荷が低減する。
【００３４】
図６は、第四実施形態に係る携帯機器充電用コネクタ１０をより詳しく示す説明図である。図６（ａ）は携帯機器充電用コネクタ１０の模式的な斜視図であり、図６（ｂ）は上面模式図であり、図６（ｃ）は左側面模式図であり、図６（ｄ）は右側面模式図であり、図６（ｅ）は下面模式図であり、図６（ｆ）は天面模式図であり、図６（ｇ）は底面模式図である。
【００３５】
（第五実施形態）
図７は、本考案の第五実施形態に係る携帯機器充電用コネクタ１０の上面模式図である。第四実施形態と異なる点は、基体１１の第二の端面Ｔ２には充電用電力を入力するためのコード２０が接続される点であり、その他の構成は第四実施形態と同様である。従って、以下、主に第四実施形態と異なる点について説明し、同一の部分については説明を省略する。同一の部分又は同一の機能を有する部分には同一の符号を付している。
【００３６】
図７に示すように、携帯機器充電用コネクタ１０は、基体１１の外形が略直方体の形状を有し、図示しない充電用電力源と携帯機器との間に介在して充電電力を伝達する。携帯機器充電用コネクタ１０は、基体１１の第一の端面Ｔ１にコネクタ用部品１が設置され、第一の端面Ｔ１に対向する第二の端面Ｔ２に充電用電力を入力する入力部としてのコード２０が設置され、第三の端面Ｔ３には第一接続部１５ａとは形状の異なる第二接続部１５ｂが設置される。第一接続部１５ａ及び第二接続部１５ｂは第三実施形態又は第四実施形態と同様の構成なので説明を省略する。
【００３７】
このように、充電用電力を入力する入力部をコード２０とすることにより、携帯機器充電用コネクタ１０を置き忘れて紛失したりする頻度が低減する。また、携帯機器の異なる機種ごとに充電用電力源を購入する必要が無く、消費者の負担が軽減されるとともに、環境負荷が低減する。
【００３８】
図８は、第五実施形態に係る携帯機器充電用コネクタ１０をより詳しく示す説明図である。図８（ａ）が携帯機器充電用コネクタ１０の正面模式図であり、図８（ｂ）は底面側から見た左側面模式図であり、図８（ｃ）は右側面模式図であり、図８（ｄ）は背面模式図であり、図８（ｅ）は天面模式図であり、図８（ｆ）は底面模式図である。基体１１は、長さｄ１０が２７．４ｍｍであり、幅ｄ１１が９ｍｍであり、厚さｄ１２が６．３ｍｍである。
【００３９】
基体１１は、本体部よりも断面が縮小する第一突出部Ｂ１及びこれに隣接する第三突出部Ｂ３を有し、第一突出部Ｂ１の端部が第一の端面Ｔ１をなし、第三突出部Ｂ３の端部が第三の端面Ｔ３をなす。第一の端面Ｔ１に設置される第一接続部１５ａは、第一の端面Ｔ１からの高さｄ１６が７．１ｍｍであり、幅ｄ１５が６．７ｍｍであり、厚さｄ１７が１．６ｍｍである。第一接続部１５ａは、コネクタ用部品１の一部からなる。第三の端面Ｔ３に設置される第二接続部１５ｂは、第三の端面Ｔ３からの高さｄ１４が６ｍｍである。第二接続部１５ｂの長手方向の端部側面には携帯機器と係合用の係合凸部２１が設置される。
【００４０】
（第六実施形態）
図９は、本考案の第六実施形態に係る携帯機器充電用コネクタ１０の上面模式図である。第四実施形態と異なる点は、基体１１には携帯機器に接続可能な第一〜第三接続部１５ａ、１５ｂ、１５ｃを備える点である。同一の部分又は同一の機能を有する部分には同一の符号を付している。
【００４１】
図９に示すように、携帯機器充電用コネクタ１０は、基体１１の外形が略直方体の形状を有し、図示しない充電電力源と携帯機器との間に介在して充電電力を携帯機器に伝達する。基体１１の第一の端面Ｔ１には第一又は第二実施形態において説明したコネクタ用部品１が設置され、第二辺Ｓ２の側が第一の端面Ｔ１の端面から突出し、充電用電力を出力する第一接続部１５ａを構成する。基体１１の第二の端面Ｔ２には、充電用電力を入力する入力部、即ちプラグ受部１４が設置される。基体１１の第三の端面Ｔ３には、第一接続部１５ａと異なる形状を有し、充電用電力を出力する第二接続部１５ｂが設置される。更に、基体１１の第四の端面Ｔ４には、第一及び第二接続部１５ａ、１５ｂと異なる形状を有し、充電電力を出力する第三接続部１５ｃが設置される。
【００４２】
具体的に説明する。コネクタ用部品１は、本体部よりもそれぞれ断面が縮小する第一突出部Ｂ１と、第一突出部Ｂ１の一方側の隣の第三突出部Ｂ３と、第一突出部Ｂ１に対向する第四突出部Ｂ４とを有し、第一突出部Ｂ１の端部が第一の端面Ｔ１をなし、第一突出部Ｂ１の他方側の隣に第二の端面Ｔ２を有し、第三突出部Ｂ３の端部が第三の端面Ｔ３をなし、第四突出部Ｂ４の端部が第四の端面Ｔ４をなす。第一の端面Ｔ１にはコネクタ用部品１が設置され、第一接続部１５ａを構成する。コネクタ用部品１は、第二辺Ｓ２の側が第一の端面Ｔ１から突出し、ベース部材２の上面ＵＳに設置される上部電極端子４はベース部材２の第三辺Ｓ３の側に偏って５個設置され、ベース部材２の下面ＤＳに設置される図示しない下部電極端子５はベース部材２の第四辺Ｓ４の側に偏って５個設置される。第二の端面Ｔ２には充電電力を入力するプラグ受部１４が開口する。第三の端面Ｔ３には第一接続部１５ａとは形状の異なる第二接続部１５ｂが設置され、第四の端面Ｔ４には、第一及び第二接続部１５ａ、１５ｂとは形状の異なる第三接続部１５ｃが設置される。
【００４３】
このように、基体１１の各端面に第一〜第三接続部１５ａ、１５ｃ、１５ｃを設けたことにより、一台の充電用電源から種類や製造メーカの異なる携帯機器を充電することができる。例えば、第一接続部１５ａにはｉＰｈｏｎｅ（登録商標）を、第二接続部１５ｂにはＦＯＭＡ（登録商標）を、第三接続部１５ｃにはＣＤＭＡ（Ｃｏｄｅ  Ｄｉｖｉｓｉｏｎ  Ｍｕｌｔｉｐｌｅ  Ａｃｅｓｓ）をそれぞれ接続可能に構成することができ、利用者の負担を軽減し、環境負荷を低減することができる。
【符号の説明】
【００４４】
１  コネクタ用部品
２  ベース部材
３  電極ピン
４  上部電極端子
５  下部電極端子
６  金属薄板
７  バンド
８  凹部
９  突起
１０  携帯機器充電用コネクタ
１１  基体
１２  充電用電力源
１３  携帯機器
１４  プラグ受部
１５ａ  第一接続部、１５ｂ  第二接続部、１５ｃ  第三接続部
１６  回路基板
１７  接続部
１８  プラグ
２０  コード
２１  係合凸部
Ｓ１  第一辺、Ｓ２  第二辺、Ｓ３  第三辺、Ｓ４  第四辺
Ｔ１  第一の端面、Ｔ２  第二の端面、Ｔ３  第三の端面、Ｔ４  第四の端面
ＵＳ  上面、ＤＳ  下面
Ｋ  窓部
Ｂ１  第一突出部、Ｂ３  第三突出部、Ｂ４  第四突出部
【図１】
0003185242.tif 000003
【図２】
0003185242.tif 000004
【図３】
0003185242.tif 000005
【図４】
0003185242.tif 000006
【図５】
0003185242.tif 000007
【図６】
0003185242.tif 000008
【図７】
0003185242.tif 000009
【図８】
0003185242.tif 000010
【図９】
0003185242.tif 000011